(57)【特許請求の範囲】
【請求項１】
電子ペーパーと前記電子ペーパーを認証する認証装置とを備えた情報表示装置であって、
一方が前記電子ペーパーに備えられ他方が前記認証装置に備えられた第１および第２の位置検知手段であって、前記電子ペーパーと前記認証装置とが少なくとも一部分重ねられた場合に、前記電子ペーパーと前記認証装置との間の相対的な位置および重なり状態を、前記第１および第２の位置検知手段の一方の前記電子ペーパーにおける位置、および、前記第１および第２の位置検知手段の他方の前記認証装置における位置に基づき、協働して検知する第１および第２の位置検知手段と、
前記認証装置に備えられ、前記第１および第２の位置検知手段により検知された相対的な位置および重なり状態に基づき位置認証処理を複数回行うとともに、前記電子ペーパーまたは前記認証装置についての機器認証処理を複数回行い、前記複数回の位置認証処理結果、および、前記複数回の機器認証処理結果に基づいて、前記電子ペーパーに制御信号を送出する判断処理手段と、
前記電子ペーパーに備えられ、前記制御信号に応じて、前記電子ペーパーに表示する情報を切り替える情報表示手段とを備える
ことを特徴とする情報表示装置。
【発明の詳細な説明】
【技術分野】
【０００１】
本発明は、情報表示装置に関し、特に、簡便な操作でセキュリティ確保のための認証を行って、電子ペーパー上へ情報を表示し、又は電子ペーパー上に表示された情報を非表示にする情報表示装置に関する。
【背景技術】
【０００２】
近年、紙の長所と電子ディスプレイの長所とを併せ持つ電子ペーパーが研究開発されてきている。電子ペーパー上に情報を表示した状態にしておくと、他者の目に触れ、情報が漏洩してしまう危険がある。例えば、電子ペーパーを本社から営業所等に持ち運ぶ場合や、電子ペーパーを家に持ち込んで在宅業務を実施する場合に、移動途中で電子ペーパーを紛失したり、盗難にあう危険がある。その時、機密データが電子ペーパー上に表示されているか、又はその内容を容易に表示できる仕組みになっていると、情報漏洩してしまう危険がある。【０００３】
個人情報が記載された履歴書、契約書、アンケート、カルテ等、不用意に他者の目に触れないように扱う文書は多い。近い将来、電子ペーパーが汎用的に流通するようになった場合、情報が常に表示された状態になる紙に対して、必要に応じて情報を非表示にすることが可能な電子ペーパーのニーズが多くなると考えられることから、セキュリティ機能を持った電子ペーパーが研究されてきている。セキュリティ機能を持った電子ペーパーでは、例えば、パスワード入力、生体認証等の認証操作を行った上で、保存された情報の表示指示を行う。【０００４】
なお、下記の特許文献１は、登録した秘密データを外部へ送出する場合に認証操作を要求し、認証が正しい場合にのみ秘密データを外部へ送出できるようにする電子ペーパーについて記載している。
【特許文献１】特開２００５−１１５５３０号公報
【発明の開示】
【発明が解決しようとする課題】
【０００５】
本発明者の検討したところによれば、電子ペーパー上に情報を表示したり、電子ペーパー上に表示された情報を非表示にしたりする際の認証操作は、なるべく簡便な操作である事が望ましい。電子ペーパーが薄い形状を有している点や、電子ペーパーが一般のＰＣ（Personal Computer)より低価格になり得ることを考慮すると、電子ペーパーは、将来、全ての人々が利用する可能性がある。誰もが利用する電子ペーパーであれば、情報の参照操作が実施し易くなければならず、また、セキュリティを確保するための認証操作は簡便であることが要求される。【０００６】
また、本発明者の検討したところによれば、従来の電子ペーパーは、セキュリティ確保のために、パスワードによる認証や、電子ペーパーのユーザの生体情報を用いた生体認証等を行っているため、キーボード等からのパスワード入力又は煩雑な生体情報等の事前登録等が必要であり、利便性が阻害されるという問題がある。そこで、電子ペーパー上に情報を表示したり、電子ペーパー上に表示された情報を非表示にしたりする際の認証操作を簡便に行う仕組みが求められる。【０００７】
また、本発明者の検討したところによれば、電子ペーパー上に情報を表示したり、電子ペーパー上に表示された情報を非表示にしたりする際の認証を複数実行すれば、さらにセキュリティを高めることができる。【０００８】
本発明は、簡便な操作でセキュリティ確保のための認証を複数実行して、認証結果に応じて電子ペーパーへの情報の表示又は非表示を行う情報表示装置の提供を目的とする。【０００９】
また、本発明は、簡便な操作でセキュリティ確保のための認証を複数実行して、認証結果に応じて電子ペーパーへの情報の表示又は非表示を行う情報表示方法の提供を目的とする。
【課題を解決するための手段】
【００１２】
また、本発明の情報表示装置は、電子ペーパーと前記電子ペーパーを認証する認証装置とを備えた情報表示装置であって、一方が前記電子ペーパーに備えられ他方が前記認証装置に備えられた第１および第２の位置検知手段であって、前記電子ペーパーと前記認証装置とが少なくとも一部分重ねられた場合に、前記電子ペーパーと前記認証装置との間の相対的な位置および重なり状態を、前記第１および第２の位置検知手段の一方の前記電子ペーパーにおける位置、および、前記第１および第２の位置検知手段の他方の前記認証装置における位置に基づき、協働して検知する第１および第２の位置検知手段と、前記認証装置に備えられ、前記第１および第２の位置検知手段により検知された相対的な位置および重なり状態に基づき位置認証処理を複数回行うとともに、前記電子ペーパーまたは前記認証装置についての機器認証処理を複数回行い、前記複数回の位置認証処理結果、および、前記複数回の機器認証処理結果に基づいて、前記電子ペーパーに制御信号を送出する判断処理手段と、前記電子ペーパーに備えられ、前記制御信号に応じて、前記電子ペーパーに表示する情報を切り替える情報表示手段とを備える。
【発明の効果】
【００１７】
また、本発明の情報表示装置は、電子ペーパーと認証装置とが重ねられた場合において、電子ペーパーと認証装置との間の相対的な位置および重なり状態が所定の関係にあると複数回判断し、電子ペーパーまたは認証装置を複数回機器認証できたときに、電子ペーパー上又は認証装置上に文字情報又は画像情報を表示する。従って、電子ペーパー上又は認証装置上に文字情報又は画像情報を表示させるためには、電子ペーパーと認証装置とを所定の位置に複数回重ね、電子ペーパーまたは認証装置を複数回機器認証できる必要があるため、セキュリティ強度をさらに高くすることができ、情報漏洩が生ずる危険をさらに少なくすることができる。
【図面の簡単な説明】
【００１８】
【図１】本発明のシステム構成の一例を示す図である。
【図２】判断処理手段の機能の一例を説明する図である。
【図３】電子ペーパーへの情報の表示処理の一例を説明する図である。
【図４】電子ペーパーへの情報の表示処理の他の例を説明する図である。
【図５】認証装置への情報の表示処理の一例を説明する図である。
【図６】認証装置への情報の表示処理の一例を説明する図である。
【図７】電子ペーパーへの情報の表示処理の他の例を説明する図である。
【図８】電子ペーパーの構造の一例を示す図である。
【図９】認証装置の構造の一例を示す図である。
【図１０】電子ペーパーと認証装置の断面の一例を示す図である。
【図１１】ＲＦＩＤタグのＩＤ番号の読み取り処理を説明する図である。
【図１２】認証装置による表示指示情報送出処理フローの一例を示す図である。
【図１３】認証装置が曲面を成している場合のＲＦＩＤタグの読み取り処理を説明する図である。
【図１４】本発明の他の実施の形態を示す図である。
【図１５】本発明のシステム構成の別の例を示す図である。
【図１６】電子ペーパーへの情報の表示処理の一例を説明する図である。
【図１７】本発明の他の実施の形態を示す図である。
【図１８】認証装置による表示指示情報送出処理フローの一例を示す図である。
【符号の説明】
【００１９】
１、１０  情報表示装置
２  電子ペーパー
２−１、３−１  表面
２−２、３−２  中面第一層
２−３、３−３  中面第二層
２−４、３−４  裏面
３  認証装置
２１、３１  位置検知手段
２１−１、２１−２、２１−３  ＲＦＩＤタグ
２２、３２  情報表示手段
２３、３３  判断処理手段
２４、３４  情報記憶手段
２５、３５  情報送受信手段
２６、３６  電力供給手段
３０  配置画像
２００  無線ＬＡＮカード
２０１  ＴＣＧチップ
２０２  電磁誘導コイル
【発明を実施するための最良の形態】
【００２０】
図１は、本発明のシステム構成の一例を示す図である。情報表示装置１は、電子ペーパー２又は認証装置３に情報を表示し、又は、電子ペーパー２又は認証装置３に表示された情報を非表示にする処理装置である。情報表示装置１は、電子ペーパー２と電子ペーパー２を認証する認証装置３とからなる。電子ペーパー２又は認証装置３の少なくとも一方は複数である。図１では、電子ペーパー２が複数であり、認証装置３が一つの場合を示しているが、本発明の一実施例によれば、情報表示装置１は、１つの電子ペーパー２と複数の認証装置３とを備えてもよく、また、複数の電子ペーパー２と複数の認証装置３とを備えてもよい。また、情報表示装置１は、複数の位置検知手段（位置検知手段２１及び位置検知手段３１）と、判断処理手段（判断処理手段２３又は判断処理手段３３）と、情報表示手段（情報表示手段２２又は情報表示手段３２）とを備える。複数の位置検知手段（位置検知手段２１及び位置検知手段３１）は、電子ペーパー２及び認証装置３の各々に備えられ、電子ペーパー２及び認証装置３と他の電子ペーパー２又は認証装置３とが重ねられた場合の電子ペーパー２及び認証装置３と他の電子ペーパー２又は認証装置３との間の相対的な位置を検知する。判断処理手段（判断処理手段２３又は判断処理手段３３）は、少なくとも電子ペーパー２又は認証装置３のいずれか一つに備えられ、複数の位置検知手段（位置検知手段２１及び位置検知手段３１）によって検知された上記相対的な位置が所定の関係にあるかを判断する位置認証処理を行い、当該位置認証処理結果に基づいて、電子ペーパー２又は認証装置３の少なくとも一つに対して制御信号を送出する。情報表示手段（情報表示手段２２又は情報表示手段３２）は、少なくとも電子ペーパー２又は認証装置３のいずれか一つに備えられ、上記送出された制御信号に基づいて、電子ペーパー２上又は認証装置３上の少なくとも一つに文字情報又は画像情報を表示する。【００２１】
この例では、情報表示装置１において、上記情報表示手段（情報表示手段２２又は情報表示手段３２）が、電子ペーパー２及び認証装置３と他の電子ペーパー２又は認証装置３とを重ねるべき領域を示す画像である配置画像を電子ペーパー２上又は認証装置３上に表示するようにしてもよい。配置画像とは、電子ペーパー２及び認証装置３と他の電子ペーパー２又は認証装置３とを重ねるべき領域を示す配置情報である。この場合、上記判断処理手段（判断処理手段２３又は判断処理手段３３）が、上記他の電子ペーパー２又は認証装置３が当該配置画像に重ねられた場合、電子ペーパー２又は認証装置３の少なくとも一つに対して制御信号を送出する。すなわち、表示された配置情報に従うように、電子ペーパー２及び認証装置３と他の電子ペーパー２又は認証装置３との間の相対的な位置が定められた場合に、制御信号を送出する。【００２２】
次に、図１に示す電子ペーパー２の構成と認証装置３の構成について、具体的に説明する。電子ペーパー２は、文書や画像を書き換えて表示することが可能な、紙のように薄い表示媒体である。電子ペーパー２は、位置検知手段２１と情報表示手段２２とを備える。位置検知手段２１は、他の電子ペーパー２又は認証装置３に重ねられた電子ペーパー２の位置を、他の電子ペーパー２又は認証装置３に検知させる。情報表示手段２２は、認証装置３の判断処理手段３３又は後述する電子ペーパー２の判断処理手段２３から送出される制御信号（表示指示情報又は非表示指示情報）に基づいて、電子ペーパー２上への文字情報又は画像情報の表示処理、又は、電子ペーパー２上に表示されている文字情報又は画像情報の非表示処理を行う。位置検知手段２１は、電子ペーパー２と他の電子ペーパー２または認証装置３とが重ねられた場合の他の電子ペーパー２または認証装置３の位置を検知するようにしてもよい。また、表示指示情報とは、文字情報や画像情報の表示を指示する情報であり、非表示指示情報とは、文字情報や画像情報の非表示を指示する情報である。情報表示手段２２は、例えば、表示指示情報に従って、有色の液体と白色微粒子が入ったマイクロカプセルに対して電圧を印加して、白色微粒子を電気泳動させて、情報を表示する。なお、情報表示手段２２は、情報表示手段２２が内蔵するメモリチップ等の記憶手段に記憶された情報を表示するようにしてもよいし、後述する情報記憶手段２４内に記憶された情報を表示するようにしてもよい。情報表示手段２２は、電子ペーパー２を他の電子ペーパー２または認証装置３に重ねる領域を示す画像である配置画像を表示するようにしてもよい。この場合において、情報表示手段２２が表示する配置画像は、認証装置３又は他の電子ペーパー２から送信される配置画像であってもよい。【００２３】
認証装置３は、電子ペーパー２に情報を表示する際、又は、電子ペーパー２に表示された情報を非表示にする際の認証を行う。認証装置３は、位置検知手段３１と判断処理手段３３とを備える。位置検知手段３１は、認証装置３上に重ねられた電子ペーパー２の位置を検知する。判断処理手段３３は、位置検知手段３１によって検知された電子ペーパー２の位置（電子ペーパー２と認証装置３との相対的な位置）が所定の位置であるか（電子ペーパー２と認証装置３との相対的な位置が所定の関係にあるか）を判断する位置認証処理を行う。判断処理手段３３は、所定の枚数の電子ペーパー２についての位置認証処理結果に基づいて、少なくとも一つの電子ペーパー２に対して、又は、認証装置３の後述する情報表示手段３２に対して制御信号（表示指示情報又は非表示指示情報）を送出する。判断処理手段３３による位置認証処理によって、所定の枚数の電子ペーパー２の位置が認証されれば、当該所定の枚数の電子ペーパー２が認証装置３上の所定の位置（例えば、配置画像の上）に正しく配置されたこととなる。認証装置３上の所定の位置に正しく配置されなければならない電子ペーパー２の枚数は、予め判断処理手段３３に設定される。例えば、認証装置３上に電子ペーパー２が重ねられ、当該電子ペーパー２上に他の電子ペーパー２が重ねられた場合、位置検知手段３１が電子ペーパー２の位置及び他の電子ペーパー２の位置を検知し、判断処理手段３３が、電子ペーパー２についての位置認証処理と他の電子ペーパー２についての位置認証処理を行い、これら２つの位置認証処理結果に基づいて、制御信号を送出する。また、判断処理手段３３は、認証装置３上に重ねられた電子ペーパー２又は当該電子ペーパー２上に重ねられた他の電子ペーパー２の双方に対して制御信号を送出するようにしてもよいし、認証装置３上に重ねられた電子ペーパー２又は当該電子ペーパー２上に重ねられた他の電子ペーパー２のうち、いずれか一方に対して制御信号を送出するようにしてもよい。【００２４】
位置検知手段３１は、電子ペーパー２と認証装置３とが重ねられた場合の認証装置３の位置を電子ペーパー２に検知させるようにしてもよい。なお、本発明の一実施形態によれば、情報表示装置１のユーザは、例えばキーボード等の入力手段（図示を省略）を用いて、判断処理手段３３が表示指示情報と非表示指示情報のいずれを制御信号として送出するかを示す情報を、判断処理手段３３に設定することができる。また、判断処理手段３３には、例えば、制御信号をどの電子ペーパー２に送出するかを指示する情報が設定される。【００２５】
なお、電子ペーパー２が備える位置検知手段２１と認証装置３が備える位置検知手段３１は、例えば、ＲＦＩＤ（Radio Frequency Identification）タグとＲＦＩＤタグリーダ等である。【００２６】
本発明の一実施形態によれば、図１に示すように、認証装置３が、電子ペーパー２を認証装置３に重ねる領域を示す画像である配置画像を認証装置３上に表示する情報表示手段３２を備えてもよい。また、情報表示手段３２は、電子ペーパー２の判断処理手段２３又は自装置（認証装置３）内の判断処理手段３３から送出された制御信号に基づいて、認証装置３上に文字情報又は画像情報を表示し、又は表示されている文字情報等を非表示にしてもよい。なお、情報表示手段３２は、情報表示手段３２が内蔵するメモリチップ等の記憶手段に記憶された情報を表示するようにしてもよいし、後述する情報記憶手段３４内に記憶された情報を表示するようにしてもよい。【００２７】
また、認証装置３が備える判断処理手段３３は、電子ペーパー２についての機器認証処理を行い、機器認証処理結果と前述した位置認証処理結果とに基づいて、電子ペーパー２又は情報表示手段３２に対して制御信号を送出するようにしてもよい。また、判断処理手段３３は、認証装置３内のハードウェアやソフトウェアの環境状態の認証（環境認証）処理を行い、前述した位置認証処理結果と機器認証処理結果と環境認証処理結果とに基づいて、電子ペーパー２又は情報表示手段３２に対して制御信号を送出するようにしてもよい。また、判断処理手段３３は、電子ペーパー２についての機器認証処理結果と、後述する電子ペーパー２の判断処理手段２３が行う認証装置３についての機器認証処理結果とに基づいて、電子ペーパー２と認証装置３とが相互に機器認証されたかを判断し、上記位置認証処理結果と、電子ペーパー２と認証装置３とが相互に機器認証されたかについての判断結果とに基づいて、電子ペーパー２又は情報表示手段３２に対して制御信号を送出するようにしてもよい。なお、判断処理手段３３は、自装置（認証装置３）についての機器認証処理を行い、当該機器認証処理結果と前述した位置認証処理結果とに基づいて、電子ペーパー２又は情報表示手段３２に対して制御信号を送出するようにしてもよい。【００２８】
また、本発明の一実施形態によれば、図１に示すように、電子ペーパー２が、さらに、判断処理手段２３を備えてもよい。この場合、判断処理手段２３は、位置検知手段２１によって検知された他の電子ペーパー２又は認証装置３の位置が所定の位置であるかを判断する位置認証処理を行う。判断処理手段２３は、所定の枚数の他の電子ペーパー２又は認証装置３についての位置認証処理結果に基づいて、少なくとも一つの電子ペーパー２の情報表示手段２２に対して、又は、認証装置３に対して制御信号（表示指示情報又は非表示指示情報）を送出する。なお、本発明の一実施形態によれば、情報表示装置１のユーザは、例えばキーボード等の入力手段（図示を省略）を用いて、判断処理手段２３が表示指示情報と非表示指示情報のいずれを制御信号として送出するかを示す情報を、判断処理手段２３に設定することができる。判断処理手段２３は、他の電子ペーパー２又は認証装置３についての機器認証処理を行い、機器認証処理結果と前述した位置認証処理結果とに基づいて、電子ペーパー２の情報表示手段２２又は認証装置３に対して制御信号を送出するようにしてもよい。また、判断処理手段２３は、電子ペーパー２内のハードウェアやソフトウェアの環境状態の認証（環境認証）処理を行い、前述した位置認証処理結果と機器認証処理結果と環境認証処理結果とに基づいて、電子ペーパー２の情報表示手段２２又は認証装置３に対して制御信号を送出するようにしてもよい。また、判断処理手段２３は、認証装置３についての機器認証処理結果と、認証装置３の判断処理手段３３が行う電子ペーパー２についての機器認証処理結果とに基づいて、電子ペーパー２と認証装置３とが相互に機器認証されたかを判断し、上記位置認証処理結果と、電子ペーパー２と認証装置３とが相互に機器認証されたかについての判断結果とに基づいて、認証装置３又は情報表示手段２２に対して制御信号を送出するようにしてもよい。なお、判断処理手段２３は、自装置（電子ペーパー２）についての機器認証処理を行い、当該機器認証処理結果と前述した位置認証処理結果とに基づいて、認証装置３又は情報表示手段２２に対して制御信号を送出するようにしてもよい。【００２９】
また、本発明の一実施形態によれば、図１に示すように、電子ペーパー２は、情報記憶手段２４、情報送受信手段２５を備えてもよい。また、認証装置３は、情報記憶手段２４と同様の構成である情報記憶手段３４、情報送受信手段２５と同様の構成である情報送受信手段３５を備えてもよい。情報記憶手段２４は、情報表示手段２２によって表示される情報や、判断処理手段２３が送出する表示指示情報等を記憶する。情報記憶手段２４に記憶される情報は、例えば、文字情報、画像情報、機器ＩＤ情報、表示指示情報、非表示指示情報、配置画像情報等である。機器ＩＤ情報は、電子ペーパー２の識別情報や認証装置３の識別情報である。情報送受信手段２５は、他の電子ペーパー２又は認証装置３から送信される情報（例えば、他の電子ペーパー２又は認証装置３の機器ＩＤ情報、表示指示情報、非表示指示情報、配置画像情報、情報表示手段２２による表示対象である文字情報や画像情報等）を受信し、受信した情報を情報記憶手段２４内に記憶する。また、情報送受信手段２５は、他の電子ペーパー２又は認証装置３に対して情報を送信する。認証装置３に対して送信される情報は、例えば、電子ペーパー２の機器ＩＤ情報、表示指示情報、非表示指示情報、配置画像情報、文字情報、画像情報等である。【００３０】
認証装置３が備える情報記憶手段３４は、情報表示手段３２によって表示される情報や、判断処理手段３３が送出する表示指示情報等を記憶する。情報送受信手段３５は、電子ペーパー２から送信される情報を受信し、情報記憶手段３４内に記憶する。また、情報送受信手段３５は、電子ペーパー２に対して情報（例えば、認証装置３の機器ＩＤ情報、表示指示情報、非表示指示情報、配置画像情報、情報表示手段２２による表示対象である文字情報や画像情報等）を送信する。【００３１】
また、本発明の一実施形態によれば、最終的に電子ペーパー２に表示される全ての情報を、電子ペーパー２が備える情報記憶手段２４内に記憶してもよいし、認証装置３が備える情報記憶手段３４内に記憶してもよい。また、最終的に電子ペーパー２に表示される情報を、電子ペーパー２が備える情報記憶手段２４と認証装置３が備える情報記憶手段３４とに分けて記憶してもよい。同様に、本発明の一実施形態によれば、最終的に認証装置３に表示される全ての情報を、認証装置３が備える情報記憶手段３４に記憶してもよいし、電子ペーパー２が備える情報記憶手段２４に記憶してもよい。また、最終的に認証装置３に表示される情報を、認証装置３が備える情報記憶手段３４と電子ペーパー２が備える情報記憶手段２４とに分けて記憶してもよい。【００３２】
図１では図示を省略するが、電子ペーパー２及び認証装置３は、それぞれ、例えば、充電池、小型ボタン電池、太陽電池等の電力供給手段を備えてもよい。【００３３】
上述した電子ペーパー２又は認証装置３が備える各処理手段の機能は、ＣＰＵとその上で実行されるプログラムにより実現される。【００３４】
なお、情報表示装置１が、１つの電子ペーパー２と複数の認証装置３とを備える場合、また、情報表示装置１が、複数の電子ペーパー２と複数の認証装置３とを備える場合についても、それぞれの電子ペーパー２及び認証装置３は、図１を参照して説明した動作と同様の動作を行う。例えば、認証装置３上に他の認証装置３が重ねられ、当該他の認証装置３上に電子ペーパー２が重ねられた場合、認証装置３は、当該他の認証装置３についての位置認証処理と当該電子ペーパー２についての位置認証処理を行い、これら２つの位置認証処理結果に基づいて、制御信号を送出する。【００３５】
図２は、判断処理手段の機能の一例を説明する図である。ここでは、認証装置３が備える判断処理手段３３の機能を例にとって説明する。電子ペーパー２が備える判断処理手段２３の機能は、判断処理手段３３の機能と同様であるので、説明を省略する。前述したように、判断処理手段３３は、例えば、位置検知手段３１による位置検知結果に基づいて、電子ペーパー２についての位置認証処理を行う。また、判断処理手段３３は、例えば、電子ペーパー２から送信される機器ＩＤ情報に基づいて、電子ペーパー２の機器認証を行う。電子ペーパー２から送信される機器ＩＤ情報は、例えば、電子ペーパー２が備える判断処理手段２３を実現するＴＣＧ（Trusted Computing Group)チップ内に記憶されている。なお、図２に示すように、判断処理手段３３は、例えば、他の認証装置３から送信される機器ＩＤ情報に基づいて、当該他の認証装置３の機器認証を行うようにしてもよい。また、判断処理手段３３は、前述したように、例えば、認証装置３内のハードウェアやソフトウェアの環境状態の認証（環境認証）を行う。上述した機能を備える判断処理手段３３は、例えば、上述したＴＣＧチップ等によって実現される。【００３６】
図３は、電子ペーパーへの情報の表示処理の一例を説明する図である。電子ペーパー２に、文字情報や画像情報等が表示されていない状態を想定する。認証装置３は、図３中に示すように、配置画像３０を表示する。ユーザが２枚の電子ペーパー２を認証装置３上に表示された配置画像３０の上に正しく重ねると、認証装置３が、２枚の電子ペーパー２のそれぞれに文字情報や画像情報等を表示させる。なお、本発明の一実施例によれば、例えば、ユーザが、文字情報や画像情報が表示されている複数枚の電子ペーパー２を認証装置３上に表示された配置画像３０の上に正しく重ねると、認証装置３が、当該複数枚の電子ペーパー２上に表示されていた文字情報や画像情報を非表示状態とする。【００３７】
図４（Ａ）〜図４（Ｄ）は、電子ペーパーへの情報の表示処理の他の例を説明する図である。この例では、認証装置３が、３枚の電子ペーパー２についての位置認証処理結果に基づいて、一番上に重ねられた電子ペーパー２に情報を表示させる。まず、図４（Ａ）に示すように、認証装置３が斜線部に示す配置画像３０を表示する。ユーザが、電子ペーパー２を図４（Ａ）に示す配置画像の上に重ねると、電子ペーパー２と認証装置３とは、図４（Ｂ）に示すように重なる。認証装置３は、当該電子ペーパー２についての位置認証処理を行う。認証装置３は、当該電子ペーパー２の位置が正しい（所定の位置である）と判断すると、図４（Ｂ）の斜線部に示す配置画像３０を表示する。ユーザが、２枚目の電子ペーパー２を図４（Ｂ）の斜線部に示す配置画像３０の上に重ねると、当該２枚目の電子ペーパー２は、図４（Ｃ）に示すように、１枚目の電子ペーパー２と認証装置３の上に重なる。認証装置３は、当該２枚目の電子ペーパー２についての位置認証処理を行う。認証装置３は、当該２枚目の電子ペーパー２の位置が正しいと判断すると、図４（Ｃ）の斜線部に示す配置画像３０を表示する。ユーザが、３枚目の電子ペーパー２を図４（Ｃ）の斜線部に示す配置画像３０の上に重ねると、当該３枚目の電子ペーパー２は、図４（Ｄ）に示すように、１枚目の電子ペーパー２と２枚目の電子ペーパー２と認証装置３の上に重なる。認証装置３は、当該３枚目の電子ペーパー２についての位置認証処理を行う。認証装置３は、当該３枚目の電子ペーパー２の位置が正しいと判断すると、図４（Ｄ）に示すように、当該３枚目の電子ペーパー２上に情報を表示させる。【００３８】
図５（Ａ）及び図５（Ｂ）は、認証装置への情報の表示処理の一例を説明する図である。図５（Ａ）に示すように、認証装置３の上に３枚の電子ペーパー２が順次重ねられる。図５（Ａ）に示す電子ペーパー２は、それぞれ、担当者、管理者、責任者の電子ペーパー２である。認証装置３は、例えば、当該３枚の電子ペーパー２についての位置認証処理と機器認証処理とを行う。認証装置３は、当該３枚の電子ペーパー２の位置が正しく、かつ、当該３枚の電子ペーパー２が、担当者の電子ペーパー２、管理者の電子ペーパー２、責任者の電子ペーパー２という順番で重ねられたと判断すると、図５（Ｂ）に示すように、自装置（認証装置３）に情報を表示する。【００３９】
図６（Ａ）〜図６（Ｅ）は、認証装置への情報の表示処理の一例を説明する図である。この例では、認証装置３の上に予め定めた枚数（４枚）の電子ペーパー２が重ねられると、認証装置３が、当該予め定めた枚数の電子ペーパー２についての位置認証処理を行って、自装置（認証装置３）上に情報を表示する。例えば、図６（Ａ）に示すように、認証装置３の上に電子ペーパー２が重ねられ、図６（Ｂ）に示すように、認証装置３の上に２枚目の電子ペーパー２が重ねられ、図６（Ｃ）に示すように、認証装置３の上に３枚目の電子ペーパー２が重ねられ、図６（Ｄ）に示すように、認証装置３の上に４枚目の電子ペーパー２が重ねられる。認証装置３は、当該４枚の電子ペーパー２についての位置認証処理を行い、当該４枚の電子ペーパー２の位置が正しいと判断すると、情報を表示する。例えば、４枚の電子ペーパー２が透明な素材からなるとすると、図６（Ｅ）に示すように、認証装置３上に表示された情報は、電子ペーパー２の上から参照可能となる。【００４０】
図７は、電子ペーパーへの情報の表示処理の他の例を説明する図である。電子ペーパー２に、文字情報や画像情報等が表示されていない状態を想定する。認証装置３及び他の認証装置３は、図７中に示すように、それぞれ配置画像３０を表示する。ユーザが、認証装置３に表示された配置画像３０の上に他の認証装置３を重ね、当該他の認証装置３に表示された配置画像３０の上に電子ペーパー２を重ねる。認証装置３は、当該他の認証装置３と電子ペーパー２についての位置認証処理を行う。認証装置３は、これらの２つの位置認証処理の結果、当該他の認証装置３と電子ペーパー２とが所定の位置に重ねられたと判断すると、電子ペーパー２上に情報を表示させる。【００４１】
図８は、電子ペーパーの構造の一例を示す図である。図８に示すように、電子ペーパー２は、表面２−１、中面第一層２−２、中面第二層２−３、裏面２−４という層構造を有する。電子ペーパー２の表面２−１には、情報表示手段２２が設けられる。中面第一層２−２には、無線ＬＡＮカード２００等を備える情報送受信手段２５、ＴＣＧチップ２０１等を備える判断処理手段２３、情報記憶手段２４、電力供給手段２６が設けられる。なお、電力供給手段２６は、例えば、充電池、小型ボタン電池、太陽電池、電磁誘導による電力発生コイル等である。中面第二層２−３には、例えばパッシブ型ＲＦＩＤ等の位置検知手段２１が設けられる。なお、裏面２−４はカバーとして機能する。【００４２】
図９は、認証装置の構造の一例を示す図である。図９に示すように、認証装置３は、表面３−１、中面第一層３−２、中面第二層３−３、裏面３−４という層構造を有する。認証装置３の表面３−１には、情報表示手段３２が設けられる。中面第一層には、位置検知手段３１と電磁誘導コイル２０２とが設けられる。位置検知手段３１は、例えば、ＲＦＩＤタグリーダである。当該ＲＦＩＤタグリーダは、例えば、図８に示す電子ペーパー２の中面第二層２−３に設けられるパッシブ型ＲＦＩＤ等の位置検知手段２１の識別情報を読み取る。電磁誘導コイル２０２は、例えば認証装置３が電磁誘導によって電子ペーパー２に電力を供給する場合に設置される。中面第二層３−３には、無線ＬＡＮカード２００等を備える情報送受信手段３５、ＴＣＧチップ２０１等を備える判断処理手段３３、情報記憶手段３４、電力供給手段３６が設置される。電力供給手段３６は、例えば、充電池、小型ボタン電池、太陽電池、電磁誘導による電力発生コイル等である。なお、裏面３−４はカバーとして機能する。【００４３】
図１０は、電子ペーパーと認証装置の断面の一例を示す図である。図１０に示す電子ぺーパー２の位置検知手段２１は、例えば、パッシブ型のＲＦＩＤタグである。また、認証装置３の位置検知手段３１は、例えば、ＲＦＩＤタグリーダである。図１０は、電子ペーパー２が認証装置３上に重ねられた例を示す。図１０に示すＲＦＩＤタグリーダ（位置検知手段）３１が、起電電波を位置検知手段（ＲＦＩＤタグ）２１に対して発信する。ＲＦＩＤタグリーダ３１から当該起電電波を受けたＲＦＩＤタグ２１が、ＲＦＩＤタグ２１の識別情報（例えば、ＩＤ番号）を含む信号電波をＲＦＩＤタグリーダ３１に対して返し、ＲＦＩＤタグリーダ３１がＲＦＩＤタグ２１のＩＤ番号を読み取る。【００４４】
例えば、図１１に示すように、ＩＤ番号がＡ１のＲＦＩＤタグ２１−１、ＩＤ番号がＡ２のＲＦＩＤタグ２１−２、ＩＤ番号がＡ３のＲＦＩＤタグ２１−３という３個のＲＦＩＤタグ２１を備える電子ペーパー２が、４８個のＲＦＩＤタグリーダ３１を備える認証装置３上に重ねられると、電子ペーパー２は、認証装置３上において、図１１中の矢印の先に示すような位置に配置される。図１１中、認証装置３内のＲＦＩＤタグリーダ３１内に記述された番号は、ＲＦＩＤタグリーダ３１の識別番号である。図１１に示すように、ＩＤ番号がＡ１のＲＦＩＤタグ２１−１は識別番号が１４のＲＦＩＤタグリーダ３１上に配置され、ＩＤ番号がＡ２のＲＦＩＤタグ２１−２は識別番号が２０のＲＦＩＤタグリーダ３１上に配置され、ＩＤ番号がＡ３のＲＦＩＤタグ２１−３は識別番号が１５のＲＦＩＤタグリーダ３１上に配置されている。従って、例えば、識別番号が１４のＲＦＩＤタグリーダ３１はＡ１というＩＤ番号を読み取り、識別番号が１５のＲＦＩＤタグリーダ３１はＡ３というＩＤ番号を読み取り、識別番号２０のＲＦＩＤタグリーダ３１はＡ２というＩＤ番号を読み取る。【００４５】
図１０に戻って、認証装置３内のＴＣＧチップ２０１が、各ＲＦＩＤタグリーダ３１が読み取ったＩＤ番号が、予め設定されたＲＦＩＤタグであって、電子ペーパー２が正しく認証装置３の配置画像上に重ねられた場合に各ＲＦＩＤタグリーダ３１が読み取るべきＲＦＩＤタグのＩＤ番号と合致するかを判断する。各ＲＦＩＤタグリーダ３１が読み取ったＩＤ番号が、上記の予め設定されたＩＤ番号と合致する場合は、ＴＣＧチップ２０１は、電子ペーパー２の位置を認証する。なお、本発明の一実施形態によれば、図１０において、電子ペーパー２が位置検知手段２１としてＲＦＩＤタグリーダを備え、認証装置３が位置検知手段３１としてＲＦＩＤタグを備えてもよい。【００４６】
図１２は、認証装置による表示指示情報送出処理フローの一例を示す図である。この例では、認証装置３上に所定の枚数分の電子ペーパー２が正しく（所定の位置に）重ねられた場合に、認証装置３が電子ペーパー２に対して表示指示情報を送出する。まず、認証装置３の位置検知手段３１が、電子ペーパー２の位置を検知する（ステップＳ１）。次に、判断処理手段３３が、電子ペーパー２が所定の位置に重ねられたかを判断する（ステップＳ２）。判断処理手段３３が、電子ペーパー２が所定の位置に重ねられていないと判断した場合には、ステップＳ１に戻る。判断処理手段３３が、電子ペーパー２が所定の位置に重ねられたと判断した場合には、判断処理手段３３は、所定の枚数分の電子ペーパー２について位置認証処理を実行したかを判断する（ステップＳ３）。判断処理手段３３は、所定の枚数分の電子ペーパー２について位置認証処理を実行したと判断した場合は、電子ペーパー２に対して表示指示情報を送出して（ステップＳ５）、処理を終了する。判断処理手段３３は、所定の枚数分の電子ペーパー２について位置認証処理を実行していないと判断した場合は、次の位置認証処理の条件を設定して（ステップＳ４）、ステップＳ１に戻る。上記ステップＳ４において、判断処理手段３３は、例えば、次の電子ペーパー２を重ねる際に表示する配置画像を設定したり、電子ペーパー２が正しく認証装置３の配置画像上に重ねられた場合に位置検知手段３１が読み取るべき電子ペーパー２内の位置検知手段２１の識別情報を設定したりする。なお、認証装置３が電子ペーパー２に対して非表示指示情報を送出する際の処理フローは、上記ステップＳ５に替えて、判断処理手段３３が電子ペーパー２に対して非表示指示情報を送出する以外は、図１２に示す処理フローと同様である。【００４７】
本発明の他の実施の形態について、図１３（Ａ）〜図１３（Ｄ）を参照して説明する。図１３（Ａ）〜図１３（Ｄ）は、複数（３枚）の電子ペーパーが認証装置に重なった状態における、電子ペーパーと認証装置の断面を示している。本発明の一実施形態によれば、例えば図１３（Ａ）に示すように、認証装置３が、電子ペーパー２が認証装置３の上に重ねられた場合にＲＦＩＤタグ２１とＲＦＩＤタグリーダ３１との間に間隔を持たせるように構成された曲面を成している。３枚の電子ペーパー２を認証装置３に重ねた直後は、図１３（Ａ）中の点線の楕円で囲った部分に示すように、ＲＦＩＤタグリーダ３１と電子ペーパー２が備えるＲＦＩＤタグ２１との間隔が大きい。従って、当該ＲＦＩＤタグリーダ３１は、当該ＲＦＩＤタグ２１のＩＤ番号を読み取ることができない。ここで、ユーザが、電子ペーパー２の上部から認証装置３の方向に圧力を加えると、電子ペーパー２が認証装置３に対して押し付けられ、電子ペーパー２と認証装置３とは、図１３（Ｂ）に示すような重なり状態となる。図１３（Ｂ）に示すような重なり状態では、図１３（Ｂ）中の点線の楕円で囲った部分にあるＲＦＩＤタグリーダ３１と電子ペーパー２が備えるＲＦＩＤタグ２１との間隔は、当該ＲＦＩＤタグリーダ３１がＲＦＩＤタグ２１を検知できる所定の間隔となる。従って、当該ＲＦＩＤタグリーダ３１は、電子ペーパー２が備えるＲＦＩＤタグ２１のＩＤ番号を読み取ることができる。なお、認証装置３上に重ねられた電子ペーパー２の重みによって、電子ペーパー２が認証装置３に対して押し付けられた場合も同様である。【００４８】
また、本発明の一実施形態によれば、例えば、認証装置３が、図１３（Ｃ）に示すように、複数の部分で曲がっている。３枚の電子ペーパー２を認証装置３に重ねた直後は、図１３（Ｃ）中の点線で囲った部分にあるＲＦＩＤタグリーダ３１とＲＦＩＤタグ２１との間隔が大きい。従って、当該ＲＦＩＤタグリーダ３１は当該ＲＦＩＤタグ２１のＩＤ番号を読み取ることができない。ここで、ユーザが、電子ペーパー２の上部から認証装置３の方向に圧力を加えると、電子ペーパー２が認証装置３に対して押し付けられ、電子ペーパー２と認証装置３とは、図１３（Ｄ）に示すような重なり状態となる。従って、図１３（Ｄ）中の点線の楕円で囲った部分にあるＲＦＩＤタグリーダ３１と電子ペーパー２が備えるＲＦＩＤタグ２１との間隔は小さくなり、当該ＲＦＩＤタグリーダ３１は、電子ペーパー２が備えるＲＦＩＤタグ２１のＩＤ番号を読み取ることができる。なお、認証装置３上に重ねられた電子ペーパー２の重みによって、電子ペーパー２が認証装置３に対して押し付けられた場合も同様である。【００４９】
また、図１３（Ａ）〜図１３（Ｄ）では、認証装置３が曲面を成している場合を例にとって説明したが、電子ペーパー２が、認証装置３と重ねた場合にＲＦＩＤタグ２１とＲＦＩＤタグリーダ３１との間に間隔を持たせるように構成された曲面を成していてもよい。電子ペーパー２が曲面を成している場合のＲＦＩＤタグ２１のＩＤ番号の読み取り処理は、図１３（Ａ）〜図１３（Ｄ）を参照して説明したＩＤ番号の読み取り処理と同様である。即ち、例えば、ＲＦＩＤタグリーダ３１とＲＦＩＤタグ２１との間隔が当該ＲＦＩＤタグリーダ３１がＲＦＩＤタグ２１を検知できる所定の間隔となった時に、当該ＲＦＩＤタグリーダ３１はＲＦＩＤタグ２１のＩＤ番号を読み取る。【００５０】
図１４は、本発明の他の実施の形態を示す図である。図１４に示す実施の形態では、電子ペーパー２と認証装置３とを、第三者（例えば、弁護士等）立合いの元での遺言書開示行為に利用する。この例では、財産の相続に関する遺言書の内容を示す情報が、各相続人及び弁護士が所有する、それぞれの電子ペーパー２内に分散して記憶されている。認証装置３には、位置認証処理の条件として、全ての相続人（相続人Ａ〜相続人Ｄ）と弁護士が所有する電子ペーパー２が認証装置３に重ねられない限り、電子ペーパー２内の情報が表示されないように設定しておく。図１４（Ａ）に示すように、相続人Ａ〜相続人Ｃが所有する電子ペーパー２が認証装置３に重ねられたとしても、相続人Ｄが所有する電子ペーパー２と弁護士が所有する電子ペーパー２が認証装置３に重ねられない限り、各電子ペーパー２には情報が表示されない。ここで、相続人Ｄが所有する電子ペーパー２と弁護士が所有する電子ペーパー２が認証装置３に重ねられると、図１４（Ｂ）に示すように、認証装置３は、各電子ペーパー２内に記憶されている情報を電子ペーパー２上に表示する。【００５１】
図１５は、本発明のシステム構成の別の例を示す図である。情報表示装置１０は、電子ペーパー２と認証装置３とが複数回重ねられた場合に、電子ペーパー２又は認証装置３に情報を表示し、又は、電子ペーパー２又は認証装置３に表示された情報を非表示にする処理装置である。情報表示装置１０は、電子ペーパー２と電子ペーパー２を認証する認証装置３とからなる。情報表示装置１０は、第１及び第２の位置検知手段（位置検知手段２１及び位置検知手段３１）と、判断処理手段（判断処理手段２３又は判断処理手段３３）と、情報表示手段（情報表示手段２２又は情報表示手段３２）とを備える。第１及び第２の位置検知手段（位置検知手段２１及び位置検知手段３１）は、電子ペーパー２及び認証装置３に備えられ、電子ペーパー２と認証装置３とが重ねられた場合の電子ペーパー２と認証装置３との間の相対的な位置を検知する。判断処理手段（判断処理手段２３又は判断処理手段３３）は、第１及び第２の位置検知手段（位置検知手段２１及び位置検知手段３１）によって検知された当該相対的な位置が所定の関係にあるかを判断する位置認証処理を複数回行い、当該複数回の位置認証処理結果に基づいて、電子ペーパー２又は認証装置３に対して制御信号を送出する。情報表示手段（情報表示手段２２又は情報表示手段３２）は、当該送出された制御信号に基づいて、電子ペーパー２上又は認証装置３上に文字情報又は画像情報を表示する。【００５２】
この例では、上記情報表示手段（情報表示手段２２又は情報表示手段３２）が、電子ペーパー２と認証装置３とを重ねるべき領域を示す画像である配置画像を予め定められた回数電子ペーパー２上又は認証装置３上に表示するようにしてもよい。また、判断処理手段（判断処理手段２３又は判断処理手段３３）が、電子ペーパー２の当該配置画像が表示される領域に認証装置３が予め定められた回数重ねられた場合、又は、認証装置３の当該配置画像が表示される領域に電子ペーパー２が予め定められた回数重ねられた場合、電子ペーパー２又は認証装置３に対して制御信号を送出するようにしてもよい。本発明の一実施例によれば、情報表示手段（情報表示手段２２又は情報表示手段３２）が、配置画像を電子ペーパー２上又は認証装置３上に毎回異なる位置に表示するようにしてもよい。【００５３】
また、本発明の一実施形態によれば、電子ペーパー２と認証装置３とが重ねられた場合の電子ペーパー２と認証装置３との間の相対的な位置が、所定の番号に対応付けられており、判断処理手段（判断処理手段２３又は判断処理手段３３）が、前述した複数回の位置認証処理結果が当該所定の番号によって構成される予め定められた番号列に対応する場合、電子ペーパー２又は認証装置３に対して制御信号を送出するようにしてもよい。【００５４】
また、本発明の一実施形態によれば、情報表示手段（情報表示手段２２又は情報表示手段３２）が、さらに、送出された制御信号に基づいて、表示されている文字情報又は画像情報を非表示にするようにしてもよい。【００５５】
また、本発明の一実施形態によれば、判断処理手段（判断処理手段２３又は判断処理手段３３）が、さらに、電子ペーパー２又は認証装置３についての機器認証処理を複数回行い、複数回の位置認証処理結果と当該複数回の機器認証処理結果とに基づいて、制御信号を送出するようにしてもよい。【００５６】
図１５中に示す電子ペーパー２の構成は、図１に示す電子ペーパー２の構成と同様である。また、図１５中に示す認証装置３の構成は、図１に示す認証装置３の構成と同様である。但し、図１５中に示す認証装置３が備える判断処理手段３３は、位置検知手段３１によって検知された電子ペーパー２の位置（電子ペーパー２と認証装置３との相対的な位置）が所定の位置であるか（電子ペーパー２と認証装置３との相対的な位置が所定の関係にあるか）を判断する位置認証処理を複数回行い、当該複数回の位置認証処理結果に基づいて、電子ペーパー２又は認証装置３の情報表示手段３２に対して制御信号（表示指示情報又は非表示指示情報）を送出する。判断処理手段３３には、例えば位置認証処理を行う回数が予め設定される。また、図１５中に示す電子ペーパー２が備える判断処理手段２３は、位置検知手段２１によって検知された認証装置３の位置が所定の位置であるかを判断する位置認証処理を複数回行い、当該複数回の位置認証処理結果に基づいて、電子ペーパー２の情報表示手段２２又は認証装置３に対して制御信号（表示指示情報又は非表示指示情報）を送出するようにしてもよい。【００５７】
図１６（Ａ）〜図１６（Ｆ）は、電子ペーパーへの情報の表示処理の一例を説明する図である。この例では、電子ペーパー２が認証装置３に３回重ねられた場合に、電子ペーパー２に情報が表示される。例えば、図１６（Ａ）に示すように、認証装置３が配置画像３０を表示すると、ユーザが、電子ペーパー２を図１６（Ａ）中に示す配置画像３０の上に重ねる。図１６（Ｂ）は、第１回目の電子ペーパー２と認証装置３との重ね合わせを示す。認証装置３が、当該電子ペーパー２の位置が正しい（所定の位置である）と判断すると、図１６（Ｃ）中に示す配置画像３０を表示する。ユーザが、当該電子ペーパー２を図１６（Ｃ）中に示す配置画像３０の上に重ねると、電子ペーパー２は認証装置３と図１６（Ｄ）に示すように重なる。図１６（Ｄ）は、第２回目の電子ペーパー２と認証装置３との重ね合わせを示す。認証装置３が、当該電子ペーパー２の位置が正しいと判断すると、図１６（Ｅ）中に示す配置画像３０を表示する。ユーザが、当該電子ペーパー２を図１６（Ｅ）中に示す配置画像３０の上に重ねると、電子ペーパー２は認証装置３と図１６（Ｆ）に示すように重なる。図１６（Ｆ）は、第３回目の電子ペーパー２と認証装置３との重ね合わせを示す。認証装置３が、当該電子ペーパー２の位置が正しいと判断すると、図１６（Ｆ）に示すように、電子ペーパー２上に情報が表示される。【００５８】
図１７は、本発明の他の実施の形態を示す図である。図１７に示す実施の形態によれば、電子ペーパー２と認証装置３とが重ねられた場合の電子ペーパー２と認証装置３との間の相対的な位置が、所定の番号に対応付けられており、認証装置３が備える判断処理手段３３（図示を省略）が、電子ペーパー２についての複数回の位置認証処理結果が当該所定の番号によって構成される予め定められた番号列（暗証番号）に対応する場合、電子ペーパー２に対して制御信号を送出し、電子ペーパー２に情報を表示させる。例えば、認証装置３が、図１７（Ａ）中の、網かけが施された部分に示す配置画像３０を表示する。当該配置画像３０には、０〜９までの１０個の番号が表示されている。ここで、判断処理手段３３には、暗証番号として、例えば「１９２８」という番号列が予め設定されているものとする。ユーザが、電子ペーパー２を配置画像３０上の図１７（Ｂ）中に示す位置に重ねると、認証装置３は、電子ペーパー２が重ねられた位置を検知し、例えば番号「１」を選択する。次に、ユーザが、電子ペーパー２を配置画像３０上の図１７（Ｃ）中に示す位置に重ねると、認証装置３は、例えば番号「９」を選択する。同様にして、ユーザが、電子ペーパー２を配置画像３０上の図１７（Ｄ）中に示す位置に重ねると、認証装置３は、例えば番号「２」を選択し、ユーザが、電子ペーパー２を配置画像３０上の図１７（Ｅ）中に示す位置に重ねると、認証装置３は、例えば番号「８」を選択する。【００５９】
認証装置３の判断処理手段３３は、選択した各番号から構成される番号列「１９２８」が、予め設定された暗証番号「１９２８」と合致すると判断し、電子ペーパー２上に情報を表示させる。【００６０】
本発明の一実施例によれば、認証装置３の判断処理手段３３が、選択した各番号から構成される番号列「１９２８」が、予め設定された暗証番号「１９２８」と合致すると判断した場合、自装置（認証装置３）上に情報を表示してもよい。【００６１】
図１８は、認証装置による表示指示情報送出処理フローの一例を示す図である。この例では、認証装置３上に電子ペーパー２が所定の回数正しく（所定の位置に）重ねられた場合に、認証装置３が電子ペーパー２に対して表示指示情報を送出する。まず、認証装置３の位置検知手段３１が、電子ペーパー２の位置を検知する（ステップＳ１１）。次に、判断処理手段３３が、電子ペーパー２が所定の位置に重ねられたかを判断する（ステップＳ１２）。判断処理手段３３が、電子ペーパー２が所定の位置に重ねられていないと判断した場合には、ステップＳ１１に戻る。判断処理手段３３が、電子ペーパー２が所定の位置に重ねられたと判断した場合には、判断処理手段３３は、位置認証処理を所定の回数実行したかを判断する（ステップＳ１３）。判断処理手段３３は、位置認証処理を所定の回数実行したと判断した場合は、電子ペーパー２に対して表示指示情報を送出して（ステップＳ１５）、処理を終了する。判断処理手段３３は、位置認証処理を所定の回数実行していないと判断した場合は、次の位置認証処理の条件を設定して（ステップＳ１４）、ステップＳ１１に戻る。上記ステップＳ１４において、判断処理手段３３は、例えば、次に電子ペーパー２を重ねる際に表示する配置画像を設定したり、電子ペーパー２が正しく認証装置３の配置画像上に重ねられた場合に位置検知手段３１が読み取るべき電子ペーパー２内の位置検知手段２１の識別情報を設定したりする。なお、認証装置３が電子ペーパー２に対して非表示指示情報を送出する際の処理フローは、上記ステップＳ１５に替えて、判断処理手段３３が電子ペーパー２に対して非表示指示情報を送出する以外は、図１８に示す処理フローと同様である。【００６２】
この本発明を実現するプログラムは、コンピュータが読み取り可能な記録媒体、例えば半導体メモリ、ハードディスク、ＣＤ−ＲＯＭ、ＤＶＤ等に格納することができ、これらの記録媒体に記録して提供され、又は、通信インタフェースを介してネットワークを利用した送受信により提供される。
【産業上の利用可能性】
【００６３】
本発明の情報表示装置及び情報表示方法によれば、電子ペーパーと認証装置とを重ねるという簡便な操作でセキュリティ確保のための認証を行って、認証結果に応じて電子ペーパー上又は認証装置上への情報の表示を行うことが可能となる。また、本発明の情報表示装置及び情報表示方法によれば、電子ペーパー及び認証装置と他の電子ペーパー又は認証装置との位置関係を所定の相対的な位置とした場合にのみ電子ペーパー上又は認証装置上に情報を表示するので、セキュリティ強度を高くすることができ、情報漏洩が生ずる危険を少なくすることができる。【００６４】
また、本発明の情報表示装置によれば、情報表示装置のユーザは、例えば、認証装置上において配置画像が表示された領域に電子ペーパーを重ねることで、電子ペーパー上又は認証装置上に情報を表示させることができる。この結果、ユーザが電子ペーパーを認証装置のどの領域に重ねたらよいか迷ったり、電子ペーパーを重ねる領域を間違えたりする可能性を低くすることができ、電子ペーパーの操作上の利便性を高くすることができる。【００６５】
また、本発明の情報表示装置及び情報表示方法によれば、電子ペーパー上又は認証装置上に文字情報又は画像情報を表示させるためには、電子ペーパーと認証装置とを所定の位置に複数回重ねる必要がある。従って、本発明の情報表示装置及び情報表示方法によれば、セキュリティ強度をさらに高くすることができ、情報漏洩が生ずる危険をさらに少なくすることができる。
【図１】
0004806010.tif 000002
【図２】
0004806010.tif 000003
【図３】
0004806010.tif 000004
【図４】
0004806010.tif 000005
【図５】
0004806010.tif 000006
【図６】
0004806010.tif 000007
【図７】
0004806010.tif 000008
【図８】
0004806010.tif 000009
【図９】
0004806010.tif 000010
【図１０】
0004806010.tif 000011
【図１１】
0004806010.tif 000012
【図１２】
0004806010.tif 000013
【図１３】
0004806010.tif 000014
【図１４】
0004806010.tif 000015
【図１５】
0004806010.tif 000016
【図１６】
0004806010.tif 000017
【図１７】
0004806010.tif 000018
【図１８】
0004806010.tif 000019